(57)【特許請求の範囲】
【請求項１】
着座部（４）と背凭れ部（３）とを有する椅子本体（１）を備え、着座部（４）に座った幼児の胴部を取り囲むガード枠（９）が椅子本体（１）に着脱自在に設けられ、左右一対の支持腕（３０）と該一対の支持腕（３０）の前部間に連結されたトレイ（３１）とを有するトレイ部材（２９）が、前記ガード枠（９）と干渉しないように設けられた幼児用椅子において、
ガード枠（９）の左右側枠部（９ａ）の各後端部に、一対の支持部（３２）が設けられ、トレイ部材（２９）の一対の支持腕（３０）の後端部に、支持軸（３３）が左右方向内方に突設され、トレイ部材（２９）が支持軸（３３）廻りに起立姿勢と使用姿勢とに回動自在となるように、一対の支持軸（３３）が前記ガード枠（９）の一対の支持部（３２）にそれぞれ前側から挿脱自在に係合保持され、トレイ部材（２９）を前記使用姿勢に規制するように、トレイ（３１）がガード枠（９）の前枠部（９ｂ）に上側から接当され、トレイ部材（２９）を起立姿勢から使用姿勢に回動したときに、前記支持軸（３３）が前側に移動して支持部（３２）から外れるのを阻止するべく、ガード枠（９）の前枠部（９ｂ）に後側から係合してトレイ部材（２９）の前方移動を規制するストッパー（４５）が設けられ、トレイ部材（２９）がガード枠（９）と共に椅子本体（１）に着脱可能とされていることを特徴とする幼児用椅子。
【請求項２】
トレイ部材（２９）を起立回動不能にして使用姿勢に保持するように、ガード枠（９）にトレイ部材（２９）をロック解除可能にロックするロック機構（３７）が設けられていることを特徴とする請求項１に記載の幼児用椅子。
【請求項３】
前記トレイ部材（２９）の一対の支持腕（３０）は、ガード枠（９）の一対の側枠部（９ａ）の外側に沿うように配置され、一対の支持腕（３０）と一対の側枠部（９ａ）との間を塞ぐスペーサ部材（４７）が支持腕（３０）に設けられていることを特徴とする請求項１又は２に記載の幼児用椅子。
【請求項４】
椅子本体（１）側に、左右一対の保持筒体（１０）が設けられ、ガード枠（９）が椅子本体（１）に着脱可能となるように、一対の保持筒体（１０）にガード枠（９）の左右側枠部（９ａ）の後端部が、前側から挿脱自在に嵌合保持されていることを特徴とする請求項１〜３のいずれかに記載の幼児用椅子。
【請求項５】
保持筒体（１０）に対して側枠部（９ａ）が抜脱不能になるように、ロック解除可能にロックするロック機構（１２）が、前記保持筒体（１０）とガード枠（９）の側枠部（９ａ）との間に設けられていることを特徴とする請求項４に記載の幼児用椅子。
【発明の詳細な説明】
【０００１】
【発明の属する技術分野】
本発明は、幼児用椅子に関する。
【０００２】
【従来の技術】
幼児用椅子には、着座部と背凭れ部と有する椅子本体を備え、着座部に座った幼児の胴部を取り囲むガード枠を設けたものがある。従来のこの種の幼児用椅子は、ガード枠を椅子本体に対してビス等で固定していた。
また、着座部と背凭れ部と有する椅子本体を備えた他の従来の幼児用椅子には、着座部に座った幼児の胴部を取り囲むガード枠を着脱自在に設けると共に、左右一対の支持腕と該一対の支持腕の前部間に連結されたトレイとを有するトレイ部材を着脱自在に設けたものがある。
【０００３】
【発明が解決しようとする課題】
しかし、ガード枠を椅子本体に対してビス等で固定した従来の幼児用椅子では、ガード枠が邪魔であることもあって、トレイ部材を椅子本体に取り付けできるようになっておらず、幼児が食事等をする際にトレイ部材を使用することができず不便であった。
また、トレイ部材を着脱できるようにした従来の幼児用椅子では、椅子本体にトレイ部材を取り付ける場合には、ガード枠が邪魔になるため、ガード枠を取り外しておく必要があり、従って、トレイ部材を着脱する都度に、ガード枠を取り外したり、取り付けたりしなければならず、トレイ部材の着脱作業が非常に面倒であった。
【０００４】
本発明は上記問題点に鑑み、椅子本体に対してトレイ部材を簡単かつ確実に着脱することができるようにしたものである。
【０００５】
【課題を解決するための手段】
この技術的課題を解決する本発明の技術手段は、着座部４と背凭れ部３とを有する椅子本体１を備え、着座部４に座った幼児の胴部を取り囲むガード枠９が椅子本体１に着脱自在に設けられ、左右一対の支持腕３０と該一対の支持腕３０の前部間に連結されたトレイ３１とを有するトレイ部材２９が、前記ガード枠９と干渉しないように設けられた幼児用椅子において、
ガード枠９の左右側枠部９ａの各後端部に、一対の支持部３２が設けられ、トレイ部材２９の一対の支持腕３０の後端部に、支持軸３３が左右方向内方に突設され、トレイ部材２９が支持軸３３廻りに起立姿勢と使用姿勢とに回動自在となるように、一対の支持軸３３が前記ガード枠９の一対の支持部３２にそれぞれ前側から挿脱自在に係合保持され、トレイ部材２９を前記使用姿勢に規制するように、トレイ３１がガード枠９の前枠部９ｂに上側から接当され、トレイ部材２９を起立姿勢から使用姿勢に回動したときに、前記支持軸３３が前側に移動して支持部３２から外れるのを阻止するべく、ガード枠９の前枠部９ｂに後側から係合してトレイ部材２９の前方移動を規制するストッパー４５が設けられ、トレイ部材２９がガード枠９と共に椅子本体１に着脱可能とされている点にある。
【０００６】
本発明の他の技術手段は、トレイ部材２９を起立回動不能にして使用姿勢に保持するように、ガード枠９にトレイ部材２９をロック解除可能にロックするロック機構３７が設けられている点にある。
本発明の他の技術手段は、前記トレイ部材２９の一対の支持腕３０は、ガード枠９の一対の側枠部９ａの外側に沿うように配置され、一対の支持腕３０と一対の側枠部９ａとの間を塞ぐスペーサ部材４７が支持腕３０に設けられている点にある。
【０００７】
本発明の他の技術手段は、椅子本体１側に、左右一対の保持筒体１０が設けられ、ガード枠９が椅子本体１に着脱可能となるように、一対の保持筒体１０にガード枠９の左右側枠部９ａの後端部が、前側から挿脱自在に嵌合保持されている点にある。
本発明の他の技術手段は、保持筒体１０に対して側枠部９ａが抜脱不能になるように、ロック解除可能にロックするロック機構１２が、前記保持筒体１０とガード枠９の側枠部９ａとの間に設けられている点にある。
【０００８】
【発明の実施の形態】
以下、本発明を図示の実施の形態に従って説明する。
図面は本発明の一実施の形態を示している。図１〜図４において、１は幼児用椅子の椅子本体で、左右一対の脚部材２を有すると共に、左右一対の脚部材２間に取り付けた背凭れ部３と着座部４とを有している。左右一対の脚部材２は、前脚５と後脚６とを備えてなる。
椅子本体１に、着座部４に座った幼児の胴部を取り囲むガード枠９が設けられている。椅子本体１の背凭れ部３の左右両側に左右一対の保持筒体１０が設けられている。この一対の保持筒体１０は、左右一対の脚部材２の各前脚５の上端部の内面に固定され、前脚５との間で前側が開口した筒孔部を形成しており、ガード枠９の左右側枠部９ａの後端部が、一対の各保持筒体１０に前側から挿脱自在に嵌合保持され、これによりガード枠９が椅子本体１に対して着脱可能に取り付けられている。
【０００９】
図６〜８に示すように、一対の保持筒体１０とガード枠９の各側枠部９ａとの間に、ロック機構１２が設けられている。ロック機構１２は、保持筒体１０に設けた係止凹部１３と、左右側枠部９ａの後端部に形成した収納部１４と、収納部１４に収納した係合体１５とを備える。
係合体１５は係合爪１６と操作部１７とを有し、ビス１８等により収納部１４に枢支され、係合体１５はバネ１９によって係合爪１６が収納部１４から下方に突出するように付勢されており、収納部１４を含む側枠部９ａの後端部を保持筒体１０に前側から挿入して嵌合する際に、係合爪１５が保持筒１０の前縁部で押圧されることにより、バネ１９の付勢に抗して係合体１５が上方に弾性変形等により揺動して係合爪１６が収納部１４内に後退した後に、バネ１９の付勢によって係合体１５が元の状態に戻って、係合爪１５が係止凹部１３に自動的に係合するように構成されている。なお、収納部１４にビス２１が螺合され、ビス２１の頭部で、係合体１５が収納部１４から外方突出しないように規制されている。
【００１０】
従って、保持筒体１０に側枠部９ａの後端部を嵌合した際に、ロック機構１２により、保持筒体１０から側枠部９ａが抜脱しないように自動的にロックできると共に、このロック状態のとき、操作部１７を上方に押圧することにより、バネ１９の付勢に抗して係合体１５を上方に揺動させ、係合爪１６が係止凹部１３から外れて、ロックを解除できるようになっている。
図１〜３及び図１１、図１２に示すように、前記ガード枠９と着座部４との間に股ベルト２３が設けられている。ガード枠９の前枠部９ｂの左右中央部に接続具２４が設けられ、股ベルト２３の一端部は着座部４の前側の左右中央部に連結されている。股ベルト２３の他端部は接続片２５を介して、接続具２４に着脱自在に接続されている。即ち、接続具２４の図示省略の挿入口に股ベルト２３の接続片２５を挿入することにより、接続片２５が接続具２４に抜脱不能に係合保持され、接続具２４の図示省略の操作部を押圧操作することにより、接続片２５が接続具２４から外れるようになっている。
【００１１】
図１〜５及び図９において、椅子本体１にトレイ部材２９が、前記ガード枠９と干渉しないように、着脱自在に設けられている。トレイ部材２９は左右一対の支持腕３０と該一対の支持腕３０の前部間に連結されたトレイ（テーブル）３１とを有している。
トレイ部材２９の一対の支持腕３０は、ガード枠９の一対の側枠部９ａの外側に沿うように配置されている。図６〜８にも示すように、ガード枠９の左右側枠部９ａの各後端部に、一対の支持部３２が設けられ、トレイ部材２９の一対の支持腕３０の後端部に、支持軸３３が左右方向内方に突設され、支持軸３３の内方端部に大径の係合片３４が設けられている。
【００１２】
一対の支持部３２には前側が開口した前後方向の係止溝３６が設けられており、支持軸３３を係止溝３６に前側から挿入することにより、係合片３４が外側方に抜脱不能となるように係止溝３６の縁部に係合され、これにより、一対の支持軸３３がガード枠９の一対の支持部３２にそれぞれ前側から挿脱自在に係合保持されて、トレイ部材２９が、ガード枠９乃至椅子本体１に対して、支持軸３３廻りに背凭れ部３側から前方突出する使用姿勢と上方突出する起立姿勢とに回動自在となるように支持されている。
【００１３】
トレイ部材２９のトレイ３１の後部がガード枠９の前枠部９ｂに上側から接当され、これにより、トレイ部材２９の支持軸３３廻りの下側への回動が上記使用姿勢で規制されている。
トレイ３１の後端部の左右方向中央部に、トレイ部材２９を使用姿勢に保持するロック機構３７が設けられている。このロック機構３７は、図１０にも示すように、トレイ３１の下面にビス等で固定された支持体３９と、支持体３９に左右軸４２廻りに揺動自在に支持された係合体４０とを備え、係合体４０はバネ４１により前方側に付勢されると共に、係合体４０の基部が支持体３９の後壁部３９ａに後側から接当することにより、係合体４０は、支持体３９から下方突出した垂下姿勢よりも前側に回動しないように規制されている。従って、バネ４１の付勢によって、係合体４０は、通常実線で示す垂下姿勢に保持されるようになっている。
【００１４】
係合体４０の下端には傾斜面４３が形成されると共に、一対の係合爪４４が設けられており、トレイ部材２９を起立姿勢から使用姿勢に回動したときに、係合体４０の傾斜面４３がガード枠９の前枠部９ｂの上部後縁部に接当して、係合体４０はやや後方に揺動した後に前方に揺動して垂下姿勢に戻り、係合爪４４がガード枠９の前枠部９ｂに下側から係合し、これにより、トレイ部材２９を起立回動不能にして使用姿勢に保持するように、ガード枠９にトレイ部材２９をロックするようになっている。また、このロック状態で、図９に鎖線で示す如く手動により係合体４０をバネ４１の付勢に抗して前側に揺動操作することにより、係合爪４４の前枠部９ｂへの係合を外してロックを解除できるようになっている。
【００１５】
前記ロック機構３７の係合体４０は、ストッパー４５に兼用されている。即ち、トレイ部材２９を起立姿勢から使用姿勢に回動したときに、ストッパー４５（係合体４０）がガード枠９の前枠部９ｂに後側から係合して、ストッパー４５がトレイ部材２９の前方移動を規制し、前記支持軸３３が前側に移動して支持部３２（係止溝３６）から外れるのを阻止するのである。
一対の支持腕３０と一対の側枠部９ａとの間を塞ぐスペーサ部材４７が各支持腕３０に設けられている。スペーサ部材４７によりトレイ部材２９を椅子本体１に取り付けた際の外観状の体裁をよくすると同時に、幼児が支持腕３０と側枠部９ａとの間に指等を挟まないようにしている。なお、図例では、スペーサ部材４７は合成樹脂等により前記支持軸３３と一体に形成されている。
【００１６】
上記実施の形態によれば、椅子本体１にトレイ部材２９を取り付ける場合、椅子本体１にガード枠９を取り付けたままで、図１１に示すように、トレイ部材２９を前上がりに傾斜させ、この状態でトレイ部材２９を前側から椅子本体１の背凭れ部３側に近づけていき、トレイ部材２９の支持軸３２を支持部３２の係止溝３６に前側から挿入する。すると、係合片３４が外側方に抜脱不能となるように係止溝３６の縁部に係合され、一対の支持軸３３が、ガード枠９の一対の支持部３２にそれぞれ前側から挿脱自在に係合保持されて、トレイ部材２９が、ガード枠９乃至椅子本体１に対して、支持軸３３廻りに使用姿勢と起立姿勢とに回動自在となるように支持される。その後は、図１２に示すように、トレイ部材２９を支持軸３３廻りに使用姿勢側に回動すればよく、この回動により、トレイ部材２９のトレイ３１がガード枠９の前枠部９ｂに上側から接当して、トレイ部材２９が使用姿勢に規制される。このとき、ストッパー４５がガード枠９の前枠部９ｂに後側から係合して、ストッパー４５がトレイ部材２９の前方移動を規制する。また、係合体４０の係合爪４４がガード枠９の前枠部９ｂに下側から係合し、トレイ部材２９を使用姿勢に保持するように、ロック機構３７がトレイ部材２９をガード枠９にロックする。
【００１７】
従って、椅子本体１からガード枠９を取り外すことなく、トレイ部材２９を椅子本体１に簡単かつ確実に取り付けることができる。しかも、このときガード枠９をトレイ部材２９を使用姿勢に保持する支持部材として有効に利用することができる。
また、トレイ部材２９がガード枠９に取り付けられ、トレイ部材２９がガード枠９と共に椅子本体１に着脱可能とされているので、ガード枠９を椅子本体１から着脱することによって、トレイ部材２９とガード枠９とを同時に簡単に取り付け及び取り外しすることができるため、例えば、幼児を椅子に座わらせる際に、トレイ部材２９をガード枠９に取り付けたままの状態で、ガード枠を椅子本体１から取り外した後に、幼児を椅子本体１に座わらせ、その後にガード枠９を椅子本体１に取り付けることにより、幼児を椅子本体１に簡単に座わらせて、トレイ部材２９及びガード枠９を便利に使用することができる。
【００１８】
また、トレイ部材２９を椅子本体１から取り外すには、まず、手で係合体４０をバネ４１の付勢に抗して後側に揺動操作することにより、係合爪４４の前枠部９ｂへの係合を外して、ロック機構３７のロックを解除し、その後、トレイ部材２９を支持軸３３廻りに回動して、前上がりに傾斜させた後、トレイ部材２９を椅子本体１に対して前側に移動して、支持軸３３を係止溝３６から抜き取ればよく、トレイ部材２９を椅子本体１から簡単に取り外すことができる。このとき、ガード枠９は椅子本体１に対して取り付けられたままであるから、ガード枠９を利用できる状態で直ちに椅子を使用できる。
【００１９】
なお、前記実施の形態では、ガード枠９の左右側枠部９ａの各後端部に、一対の支持部３２が設けられ、トレイ部材２９の一対の支持腕３０の後端部に、支持軸３３が左右方向内方に突設され、一対の支持軸３３が前記ガード枠９の一対の支持部３２にそれぞれ前側から挿脱自在に係合保持され、これにより、トレイ部材２９が背凭れ部３側から前方突出する使用姿勢と上方突出する起立姿勢とに回動可能になるように、トレイ部材２９の一対の支持腕３０の後端側が、左右方向の支持軸３３廻りに回動可能に支持されているが、これに代え、トレイ部材２９の一対の支持腕３０の後端部に、一対の支持部３２を設け、ガード枠９の左右側枠部９ａの各後端部に、支持軸３３が左右方向外方に突設し、ガード枠９の一対の支持軸３３に対して支持腕３０の一対の支持部３２をそれぞれ前側から挿脱自在に係合保持し、これにより、トレイ部材２９が背凭れ部３側から前方突出する使用姿勢と上方突出する起立姿勢とに回動可能になるように、トレイ部材２９の一対の支持腕３０の後端側を、左右方向の支持軸３３廻りに回動可能に支持するようにしてもよい。
【００２０】
また、前記実施の形態では、トレイ部材２９が背凭れ部３側から前方突出する使用姿勢と上方突出する起立姿勢とに回動可能になるように、トレイ部材２９の一対の支持腕３０の後端側が、左右方向の支持軸３３廻りに回動可能に支持され、トレイ部材２９を前記使用姿勢に規制するように、トレイ３１がガード枠９の前枠部９ｂに上側から接当され、ガード枠９にトレイ部材２９をロック解除可能にロックするロック機構３７が設けられているが、これに代え、トレイ部材２９のトレイ等の前端側を、ガード枠９の前枠部９ｂ等に左右方向の支持軸３３廻りに回動可能に支持し、トレイ部材２９の側枠部９ａ等の後端側をロック機構３７等で椅子本体１又はガード枠９の後端部等にロック解除可能にロックするようにしてもよい。
【００２１】
また、前記実施の形態では、ロック機構３７の係合体４０を、トレイ部材２９の前方移動を規制するストッパー４５に兼用しているが、これに代え、トレイ部材２９の前方移動を規制するストッパー４５をロック機構３７とは別体に構成するようにしてもよい。
【００２２】
【発明の効果】
本発明によれば、椅子本体１に対してガード枠９を取り付けたままで、椅子本体１にトレイ部材２９を簡単かつ確実に着脱することができる。
【図面の簡単な説明】
【図１】  本発明の一実施の形態を示す全体斜視図である。
【図２】  同トレイ部材を取り外した状態の全体斜視図である。
【図３】  同全体側面図である。
【図４】  同全体平面図である。
【図５】  同トレイ部材の底面図である。
【図６】  同ガード枠の側面図である。
【図７】  同ガード枠後部の底面図である。
【図８】  同ガード枠前部及び保持筒体の側面図である。
【図９】  同ガード枠及びトレイ部材の支持軸及びロック機構部分を示す側断面図である。
【図１０】  同ロック機構の正面図である。
【図１１】  同トレイ部材を取り付ける工程を示す側面図である。
【図１２】  同トレイ部材を取り付ける他の工程を示す側面図である。
【符号の説明】
１    椅子本体
３    背凭れ部
４    着座部
９    ガード枠
９ａ    側枠部
９ｂ    前枠部
１０    保持筒体
１２    ロック機構
２９    トレイ部材
３０    支持腕
３１    トレイ
３２    支持部
３３    支持軸
３７    ロック機構
４５    ストッパー
４７    スペーサ部材
【図１】
0004014385.tif 000002
【図２】
0004014385.tif 000003
【図３】
0004014385.tif 000004
【図４】
0004014385.tif 000005
【図５】
0004014385.tif 000006
【図６】
0004014385.tif 000007
【図７】
0004014385.tif 000008
【図８】
0004014385.tif 000009
【図９】
0004014385.tif 000010
【図１０】
0004014385.tif 000011
【図１１】
0004014385.tif 000012
【図１２】
0004014385.tif 000013